(57)【特許請求の範囲】
【請求項１】
発光面部の周囲に非発光領域を有するケース内に長手方向両端に電極部を有する冷陰極管からなる管状ランプが配置され、当該管状ランプを点灯させるためのインバータを備えた直下型バックライトであって、前記ケース内において、主に前記発光面部の背後にある第１空間と、主に前記非発光領域の背後にある第２空間とを区切る遮熱板を備え、前記インバータは、前記第２空間内に納められ、前記管状ランプは、長手方向両端の電極部がそれぞれ前記第２空間内に位置していると共に、長手方向中途部が前記第１空間内に位置していることを特徴とする直下型バックライト。
【請求項２】
前記ケースには、前記第２空間からケース外部に連通した空気連通部が形成されていることを特徴とする請求項１記載の直下型バックライト。
【請求項３】
前記遮熱板の前記第１空間側の面には光の反射部が設けられていることを特徴とする請求項１又は２記載の直下型バックライト。
【請求項４】
前記遮熱板は、発光面部と非発光領域の境界より発光面部側に位置して、前記第１空間と前記第２空間とを区切っていることを特徴とする請求項３記載の直下型バックライト。
【請求項５】
前記第２空間には、管状ランプの長手方向両端近傍の非有効発光部がすべて納められていることを特徴とする請求項３又は４記載の直下型バックライト。
【請求項６】
前記ケースは、管状ランプが設けられる第１ケース体に、発光面部が設けられる第２ケース体が分離可能に取り付けられて構成され、前記遮熱板は、前記第２ケース体に設けられていることを特徴とする請求項１〜５のいずれかに記載の直下型バックライト。
【請求項７】
前記遮熱板は、第２ケース体から第１ケースに向かって延設され、当該遮熱板の延設方向先端と第１ケース体との間には、前記第１空間と前記第２空間との間の空気の流通を許容する隙間が形成されていることを特徴とする請求項６記載の直下型バックライト。
【請求項８】
前記隙間の間隔は１０ｍｍ以下であることを特徴とする請求項７記載の直下型バックライト。
【請求項９】
発光面部の周囲に非発光領域を有するケース内に長手方向両端に電極部を有する冷陰極管からなる管状ランプが配置された直下型バックライトであって、前記ケース内において、主に前記発光面部の背後にある第１空間と、主に前記非発光領域の背後にある第２空間とを区切る遮熱板を備え、前記管状ランプは、長手方向両端の電極部がそれぞれ前記第２空間内に位置していると共に、長手方向中途部が前記第１空間内に位置していることを特徴とする直下型バックライト。
【請求項１０】
発光面部の周囲に非発光領域を有するケース内に冷陰極管からなる光源が配置され、当該光源を点灯させるためのインバータを備えた直下型バックライトであって、前記ケース内において、主に前記発光面部の背後にある第１空間と、主に前記非発光領域の背後にある第２空間とを区切る遮熱板を備え、前記インバータは、前記第２空間内に納められていることを特徴とする直下型バックライト。
【発明の詳細な説明】
【０００１】
【発明の属する技術分野】
本発明は、液晶用バックライト、写真のネガなどを見るために使用するライトボックス、Ｘ線写真を見るために使用するシャウカステン、看板等として用いられるバックライトに関するものである。
【０００２】
【従来の技術】
液晶表示装置用などのバックライトは、光源の配置の仕方に基づいて大別するとサイド型と直下型に分けられる。サイド型は導光板の側部に光源を配置したものであり、直下型は発光面となる拡散板の背後（直下）に光源を配置したものである。
【０００３】
図６に示すように、液晶表示装置用バックライト１００の場合、ケース１０１と、発光面となる拡散板１０２と、ケース１０１内部の光源１０３と、光源１０３が接続されるインバータ１０４と、拡散板１０２の表面に重ね置きされた光学シート１０５等を備えている。
前記光源１０３としては、高い輝度を得るために、複数のランプを使用するのが一般的であり、液晶用バックライトの場合、ディスプレイサイズが１５インチであれば４本から８本の冷陰極管からなる蛍光ランプが使用され、２０インチであれば８本から１４本程度の蛍光ランプが使用される。
【０００４】
【発明が解決しようとする課題】
図示のバックライト１００の場合、光源１０３は、ケース１０１と拡散板１０２とで囲まれて配置されているため、光源１０３からの発熱によりケース１０１内部に熱が籠もりやすい構造となっている。
【０００５】
しかも、光源１０３である蛍光ランプは、電極付近では電気エネルギーから光への変換効率が低いため、電極において無駄なエネルギーが発熱として消費され、電極付近が熱くなるという特性を持っている。特に、冷陰極管の場合、電極付近における光の変換効率が熱陰極管に比べて低いため、発熱が大きく電極付近の温度が１００℃程度になることがある。
また、蛍光ランプを点灯させるためのインバータ１０４も、その機能上、発熱が大きい。
【０００６】
このため、光源１０３の電極やインバータ１０４からの発熱によってバックライトのケース１０１内部の温度が上昇し、実験によればケース１０１内部の温度が６０℃近くまで上昇することが確認されている。
そして、ケース１０１内部の温度が上昇すると、光源１０３の発光効率が低下して、バックライトの輝度が低下するという問題が発生する。したがって、光源１０３近傍の温度は比較的低く（例えば、４０℃程度に）保たれるのが望ましい。
【０００７】
ここで、熱くなりすぎたケース１０１内部の温度を下げる手段としては、１）ケースに空気穴又はファンを設けて冷却する、２）ケース１０１に冷却用フィンを設ける、ことが考えられる。
しかし、１）の手段では、光源周囲の空気が空気穴やファンによって入れ替わるため、光源近傍の温度が急激に変化し、温度の急激な変化により輝度がふらつく（上下する）欠点がある。しかも、空気の入れ替え効率を上げるために、空気穴を大きく形成すると、外部からの異物の侵入が容易となり、明るさの低下等の発光品位の劣化をもたらす。
【０００８】
また、２）の手段では、フィンを設けても１）の手段に比べて冷却効率が小さく、冷却効率を大きくするには、大きなフィンが必要となり、製品寸法が大きくなるとともに重量が大きくなるなどの大型化を招く。
本発明は、かかる問題に鑑みてなされたものであり、直下型バックライトの熱による輝度の低下あるいは変化を防止するための新たな手段を提供することを目的とする。
【０００９】
【課題を解決するための手段】
本発明は、発光面部の周囲に非発光領域を有するケース内に長手方向両端に電極部を有する冷陰極管からなる管状ランプが配置され、当該管状ランプを点灯させるためのインバータを備えた直下型バックライトであって、前記ケース内において、主に前記発光面部の背後にある第１空間と、主に前記非発光領域の背後にある第２空間とを区切る遮熱板を備え、前記インバータは、前記第２空間内に納められ、前記管状ランプは、長手方向両端の電極部がそれぞれ前記第２空間内に位置していると共に、長手方向中途部が前記第１空間内に位置していることを特徴とする。
【００１０】
本発明によると、第１空間は、発熱源であるインバータや管状ランプ両端の電極部の位置する第２空間に対して遮熱板によって区切られている。このため第１空間は、インバータや電極からの発熱による影響が少ない空間となっている。そして、管状ランプの有効発光部である長手方向中途部は、発熱の影響が少ない第１空間内に位置しているため、管状ランプ有効発光部近傍での温度の上昇が少なく、管状ランプの明るさの低下が防止される。
【００１１】
また、前記ケースには、前記第２空間からケース外部に連通した空気連通部が形成されているのが好ましい。インバータと管状ランプ電極が位置する第２空間が空気連通部によってケース外部と連通していることで、第２空間とケース外部との間で空気の入れ換えが行われ、第２空間が効率良く冷却される。しかも、空気の入れ換えによって第２空間が急激に冷却されたとしても、管状ランプ中途部が位置している第１空間とは遮熱板によって区切られているので、第１空間における急激な温度変化が防止され、管状ランプの明るさの変化が防止される。さらに、ケース外部から空気連通部を通ってホコリ等の異物がケース内に進入した場合であっても、遮熱板の存在によって異物の第１空間への進入が抑えられるため空気連通部を大きくとることができる。
【００１２】
さらに、本発明では、前記遮熱板の前記第１空間側の面には光の反射部が設けられているのが好ましく、この場合、遮熱板を設けても、発光面部における発光品位の低下を防止できる。
【００１３】
また、前記遮熱板は、発光面部と非発光領域の境界より発光面部側に位置して、前記第１空間と前記第２空間とを区切っているのが好ましく、この場合、第２空間を広くとることができる。しかも、遮熱板の第１空間側の面に反射部が設けられていることから、遮熱板が発光面部側に位置していても、発光面部における有効発光領域を広くすることができる。
【００１４】
本発明では、前記第２空間には、管状ランプの長手方向両端近傍の非有効発光部がすべて納められているのが好ましく、この場合、第１空間には管状ランプの有効発光部だけが位置し、暗い非有効発光部が発光面部側から見えなくなり均一な発光品位が確保される。
【００１５】
さらに、前記ケースは、光源が設けられる第１ケース体に、発光面部が設けられる第２ケース体が分離可能に取り付けられて構成され、前記遮熱板は、前記第２ケース体に設けられているのが好ましく、この場合、第２ケース体を第１ケース体から取り外すと、第２ケース体とともに遮熱板も取り外され、第１ケース体の内部において第１空間と第２空間の区切りがなくなり、第１空間と第２空間にまたがって位置する管状ランプの交換等のメンテンナンスを容易に行える。
【００１６】
また、前記遮熱板は、第２ケース体から第１ケースに向かって延設され、当該遮熱板の延設方向先端と第１ケース体との間には、前記第１空間と前記第２空間との間の空気の流通を許容する隙間が形成されているのが好ましい。この場合、隙間を介して第１空間と第２空間の間で空気が多少流通し、ケース内全体での温度の均一化が図られる。そして、この隙間の間隔は、第１空間の急激な温度の変化や第１空間への異物進入を抑えるために１０ｍｍ以下であるのが好ましい。
【００１７】
そして、本発明は、発光面部の周囲に非発光領域を有するケース内に長手方向両端に電極部を有する冷陰極管からなる管状ランプが配置された直下型バックライトであって、前記ケース内において、主に前記発光面部の背後にある第１空間と、主に前記非発光領域の背後にある第２空間とを区切る遮熱板を備え、前記管状ランプは、長手方向両端の電極部がそれぞれ前記第２空間内に位置していると共に、長手方向中途部が前記第１空間内に位置しているものとすることができる。この場合、第２空間に位置している管状ランプ両端の電極による発熱による管状ランプの明るさの低下が防止される。
【００１８】
さらに、本発明では、発光面部の周囲に非発光領域を有するケース内に冷陰極管からなる光源が配置され、当該光源を点灯させるためのインバータを備えた直下型バックライトであって、前記ケース内において、主に前記発光面部の背後にある第１空間と、主に前記非発光領域の背後にある第２空間とを区切る遮熱板を備え、前記インバータは、前記第２空間内に納められているものとすることができる。この場合、第２空間に位置しているインバータの発熱による管状ランプの明るさの低下が防止される。
【００１９】
【発明の実施の形態】
以下、本発明の実施形態を図面に基づいて説明する。
本実施形態では、直下型バックライトの一例としてＸ線写真などを観察するためのシャウカステンを挙げて説明する。図１〜図４に示すシャウカステン１は、厚みが６０ｍｍ以下の薄い箱状に形成されたケース２を有しており、このケース２には、発光面部となる拡散板３を備えている。ケース２の厚みは具体的には４０ｍｍである。このケース２内部には、光源４とインバータ５が設けられている。なお、図３の上側をシャウカステン１の「上」と表現し、図３の下側をシャウカステン１の「下」と表現するが、これらの表現は、便宜的なものであり、上下を横向きにするなどシャウカステン１の設置の仕方を制限するものではない。
【００２０】
ケース２は、下ケースとなる第１ケース体７と、上ケースとなる第２ケース体８とを備えている。第１ケース体７は、矩形状の底面７ａと底面７ａの周縁から上方に立設された側面７ｂとを有し、上部開口状に形成されている。第１ケース体７の側面７ｂには、ケース内外に連通する貫通孔が形成されており、この貫通孔はケース内外を空気が流通するための空気連通部７ｃとされている。
第２ケース体８は、枠状の上面８ａと、上面８ａの外周縁から垂下して設けられた側面８ｂとを有し、第１ケース体７の上部から外嵌状に装着され、ネジ９で固定される。第１ケース体７と第２ケース体８とが、ネジ固定式であるので、容易に分離でき、上ケースである第２ケース体を取り外すことでメンテンナンス等を容易に行うことができる。なお、第１ケース体７と第２ケース体８はともに金属製である。
【００２１】
第２ケース体８の枠内周部には、矩形状の拡散板３の周縁が差し込まれる凹部１０が形成されている。拡散板３は凹部１０に差し込まれ、ネジ１０ａで第２ケース体８に固定される。拡散板３を第２ケース体８の内周側に取り付けることで、図１に示すように拡散板３の周囲において額縁状に第２ケース体８が位置する。また、矩形枠状の第２ケース体８の一方の長辺部（図１において上側の長辺部）には、Ｘ線写真を固定するためのクリップ部１１が設けられており、クリップ部１１と拡散板３との間にＸ線写真を差し込んで挟み込ませることによってＸ線写真をシャウカステン１に固定することができる。
【００２２】
第２ケース体８とクリップ部１１の存在のため、拡散板３のうち、実際に発光する発光面部３ａは、拡散板３が凹部１０に差し込まれている部分及びクリップ部１１によって隠れている部分を除く領域（図１において拡散板３が見える範囲）となり、発光面部３ａは光源４からの光によって発光する。一方、第２ケース体８とクリップ体１１によって発光面部３ａの周囲を額縁状に囲む部分は、発光しない非有効発光領域となっている。
【００２３】
なお、拡散板３は白色透明のアクリル板によって形成されており、光源４からの光を拡散させて均一な発光面を形成する。また、発光面部３ａは、横長手方向長さが１１４１．２ｍｍであり、縦幅方向長さが４３１．３ｍｍであり、半切サイズのＸ線写真（Ｘ線フィルム）を縦長向きの状態で横方向に３枚（複数枚）置けるように半切サイズのＸ線写真３枚（複数枚）分に略相当する大きさに形成されている。なお、半切サイズのＸ線写真の大きさは、３５６×４３２ｍｍである。また、大角サイズのＸ線写真の大きさは３５６×３５６ｍｍであり、大陸（大四切）サイズのＸ線写真の大きさは、２７９×３５６ｍｍである。大陸サイズのＸ線写真であれば、発光面部３ａには４枚並べることができる。
【００２４】
第１ケース体７の底面７ａには、光源３からの光を反射するための反射板１３が配置されている。反射板１３は、効率よくかつ均一に光を反射させるために白色塗装された金属板によって構成されている。反射板１３は、大陸サイズのＸ線写真と略同じ大きさに形成されており、４枚（複数枚）が横方向に並設されている。各反射体１３の四隅は、ネジ１４によってそれぞれ第１ケース体７に対して取り外し自在に取り付けられている。
【００２５】
これらの反射板１３の上には、それぞれ光源４が６本（複数本）設けられ、シャウカステン１全体で計２４本（６本×４）の光源４を備えている。光源４は、図５に示すように、長手方向両端に電極部１６，１６を有する管状ランプであり、具体的には冷陰極管の蛍光灯である。管状ランプとしては熱陰極管でもよいが、冷陰極管とすることで、管径を小さくすることができる。冷陰極管４としては、管径φが２〜６ｍｍ程度の細管タイプが用いられ、シャウカステン１の厚みを薄くしている。
【００２６】
冷陰極管４の電極部１６を含む長手方向両端部近傍は、点灯時においても明るさが低い非有効発光部１７となっており、非有効発光部１７，１７によって挟まれた冷陰極管４の長手方向中途部は明るい有効発光部１８となっている。なお、非有効発光部の長さは数ｍｍ程度である。
【００２７】
図３に示すように、管状ランプ４の長手方向両端には電極部１６を覆うように保持ゴム２０が装着される。保持ゴム２０は、反射板１３に設けられたランプ取付部２１に装着されて、管状ランプ４を反射体１３に位置決め固定するためのものである。なお、管状ランプ４は、保持ゴム２０によって反射体１３から浮いた状態で保持され、管状ランプ４から金属製反射体１３への電流のリーク防止と、発光品位の確保が図られている。管状ランプ４と反射体１３との間の距離は約１．９ｍｍである。
【００２８】
保持ゴム２０は、難燃性であるシリコンゴムによって形成されており、電極部１６が１００℃を超える高温となったときの保護部材としても機能する。また、保持ゴム２０は絶縁材でもあるから、電流の流れる管状ランプ４と金属製の反射体１３との間に位置して絶縁する絶縁体としても機能する。
【００２９】
インバータ５は、第１ケース体７内に４個（複数個）設けられている。各インバータは、ケースの非有効発光領域の背後に位置するように、図３において第２ケース体上面８ａの下方に配置されている。各インバータは、反射体１３に対応した数（４個）ほど設けられており、一つのインバータ５は、一つの反射体１３に設けられた複数の光源４とそれぞれ接続されている。このシャウカステン１では、各インバータのＯＮ／ＯＦＦによって反射体１３毎に光源４を点灯・消灯させることができる。
【００３０】
各インバータ５は、第１ケース体７の側面７ｂに対して所定の距離を置いて配置されている。インバータ５と側面７ｂとの間のスペース２３は、インバータに電気を供給するための配線を通すために利用される。また、スペース２３によってインバータ５と第１ケース体７の絶縁が確保される。さらに、スペース２３によってインバータ５の放熱も促進される。なお、インバータ５と側面７ｂとの距離は５〜１２ｍｍ程度である。インバータ５は、配置の都合上、光源４の長手方向一方側の側面７ｂと他方側の側面７ｂとに分散して配置されている（図１参照）。
【００３１】
インバータ５は、細長い回路基板２５にトランスやコンデンサなどの回路部品２６を搭載して構成されており、回路基板２５が側面２７と平行になるように縦置きで配置されている。縦置き配置にすると、回路基板２５が底面７ａと平行になるように平置き配置する場合と比べて省スペース化が図られる。また、縦置きにすると平置きに比べて放熱性も良い。
【００３２】
上ケースである第２ケース体８には、ケース内部空間を区切るための遮熱板２８が設けられている。この遮熱板２８は、金属製であり、矩形枠状の第２ケース体の各長辺部の背面８ｃにそれぞれ取り付けられて、発光面部３ａの背後（図３において下方）にある第１空間２９と、管状ランプ４の長手方向両端側の非発光領域（第２ケース体上面８ａ）の背後（図３において下方）にある第２空間３０とを区切っている。
【００３３】
遮熱板２８は、第２ケース体８の背面８ｃにおいて、ネジ１０ｃによって第２ケース体８と固定されている。なお、遮熱板２８を固定するネジ１０ｃによって拡散板３も第２ケース体８に固定されている。第２ケース体８に遮熱板２８が設けられているので、第２ケース体８を取り外すと第１ケース体７において第１空間２９と第２空間３０の区切りがなくなりメンテンナンスが容易となり、特に光源の交換が容易である。
この遮熱板２８は、第２ケース体８から第１ケース体７に向かって下方に延設されている。しかも、遮熱板２８は、発光面部３ａと非発光領域との境界３２から管状ランプ４の長手方向中央側（図３において右方）に向かうように斜め下方に傾斜している。したがって、遮熱板２８は、発光面部３ａと非発光領域との境界３２より発光面部３ａ側に位置している。
【００３４】
管状ランプ４の長手方向両端は、非発光領域ではなく、発光面部３ａの背後に位置しているが、遮熱板２８が斜めに傾斜していることで、管状ランプ４の長手方向両端近傍が第２空間３０内に位置する。管状ランプ４は、長手方向端部から約８ｍｍ程度の範囲が第２空間３０内に位置している。この結果、管状ランプ４の非有効発光部１７のみならず、非有効発光部１７に近接する有効発光部１８の一部が第２空間３０内に位置している。非有効発光部１７が第２空間３０内に位置していることで、第１空間２９にあるのは管状ランプ４の有効発光部１８だけであり、発光面部３ａ側から暗い非有効発光部１７が見えなくなり発光品位が向上する。
【００３５】
また、金属製の遮熱板２８の第１空間２９に面する面が、白色塗装されて光の反射部３３とされているため、遮熱板２８の設けられている範囲も明るさが確保され、遮熱板２８を設けても発光面部３ａを広く確保できる。
なお、遮熱板２８としては、樹脂製も採用でき、この場合、白色の樹脂又は白色塗装された樹脂を採用することで反射部を持った遮熱板とすることができる。
【００３６】
また、遮熱板２８のケース厚み方向に対する傾斜角度αは、４５゜以下が好ましく、本実施形態では４５゜に設定されている。傾斜角度αが４５゜以下とすることで、管状ランプ４の有効発光部１８の光が反射部３３全体に届き易く光の均一性が確保される。さらに、遮熱板２８は、下方への延設方向中途部３４でケース厚み方向に対する角度が小さくなるように折り曲げられており、ランプ取付部２１等との干渉を避けつつ、管状ランプ４が第２空間３０内に位置する範囲を小さくしている。
【００３７】
遮熱板２８の延設方向先端である下端３６は、管状ランプ４との干渉を避けるために管状ランプ４に対応した部分に切欠部３６ａが形成されて、管状ランプ４が遮熱板２８によって損傷するのが防止されている。また、遮熱板２８の下端３６のうち切欠部３６ａでない部分は、反射板１３と接触しておらず浮いた状態となっており、管状反射板１３が遮熱板２８によって損傷するのが防止され、ひいては反射板１３の損傷による発光品位の低下を防いでいる。
【００３８】
また、下端３６と反射板１３（第１ケース体底面７ａ）との間に隙間３７によって、第１空間２９と第２空間３０との間の空気の流通が確保されている。下端３６と反射板１３との隙間３７の間隔は、第１空間２９への熱い空気の大量流入により第１空間２９の温度上昇を避けるため、１０ｍｍ以下であるのが好ましく、具体的には１．５ｍｍとされている。また、第２空間３０の空気の入れ換えを促進するために、空気連通部７ｃである貫通孔を大きく又は数多く形成すると、ケース２内に異物が進入し易いが、隙間３７の間隔を小さくすることで、第１空間２９への異物の進入が防止される。
【００３９】
本実施形態によると、発熱のある管状ランプ電極部１６とインバータ５とが、第１ケース体７、第２ケース体８、遮熱板３３によって囲まれた第２空間３０内に納められ、第１空間２９内にある管状ランプ４の有効発光部１８と遮熱されているので、有効発光部１８の輝度の低下が起こりにくい。しかも、第１ケース体７の空気連通部７ｃによって第２空間２９とケース外部との空気流通が確保されているため、ケース外部からの空気の入れ換えによって第２空間３０内が効率良く冷却されるとともに、第２空間３０内における温度変化は、遮熱板２８の存在によって第１空間２９側に伝わりにくい。この結果、管状ランプ４の有効発光部１８近傍では急激な温度変化がなく、輝度の変化（ふらつき）が防止される。シャウカステンの場合、輝度の変化（ふらつき）は、Ｘ線写真フィルムの正確な読影の妨げとなるが、本実施形態によれば、輝度の安定によって正確な診断情報を得ることができる。
【００４０】
なお、本発明は、上記実施形態に限定されるものではなく、特許請求の範囲に記載された事項の範囲内で様々な変更が可能である。例えば、バックライトとしての応用例は、シャウカステンに限られるものではなく、同様の構成を液晶表示装置用のバックライト等に採用することもできる。また、一部の請求項に係る発明関しては、第２空間内には、管状ランプの電極とインバータのいずれか一方だけが位置していてもよい。なお、第２空間内にインバータを設けない場合、インバータは、ケース内に限らず、ケース外に配置してもよい。
【００４１】
【発明の効果】
本発明によると、管状ランプの有効発光部である長手方向中途部は、遮熱板で区切られて、発熱の影響が少ない第１空間内に位置しているため、管状ランプ有効発光部近傍での温度の上昇が少なく、管状ランプの明るさの低下が防止される。
【図面の簡単な説明】
【図１】バックライト（シャウカステン）の平面図である
【図２】バックライト（シャウカステン）の側面図（図１のＩＩ矢視図）である。
【図３】バックライト（シャウカステン）の一部断面図（図１のＩＩＩ−ＩＩＩ断面図）である。
【図４】拡散板を除いた第２ケース体と遮熱板の一部平面図である。
【図５】冷陰極管の非有効発光部と有効発光部の説明図である。
【図６】従来のバックライトの概略構成図である。
【符号の説明】
1   シャウカステン（バックライト）
２  ケース
３ａ  発光面部
４  光源（管状ランプ；冷陰極管）
５  インバータ
７  第１ケース体
７ｃ  空気連通部
８  第２ケース体
１６  電極部
１７  非有効発光部
１８  有効発光部
２８  遮熱板
２９  第１空間
３０  第２空間
３２  境界
３３  反射部
３６  遮熱板の下端
３７  隙間
【図１】
0004132854.tif 000002
【図２】
0004132854.tif 000003
【図３】
0004132854.tif 000004
【図４】
0004132854.tif 000005
【図５】
0004132854.tif 000006
【図６】
0004132854.tif 000007